(57)【要約】【課題】  包装箱において、包装箱に収容してある内容物の陳列効果を高めるととともに、包装箱に被せた蓋体が内容物に当たらないようにすること。【解決手段】  底板１１の一方の対向辺に起立する前板１２及び後板１３と、底板１１の他方の対向辺に起立する両側の側板２２とを有してなる包装箱１０であって、前板１２及び後板１３の起立高さＨ１より両側の側板２２の起立高さＨ２が低く、前板１２及び後板１３の上縁１２Ａ、１３Ａの両端角部は、両側の側板２２の上縁２２Ａに交差する斜め縁取部１２Ｂ、１３Ｂを有してなるもの。【選択図】  図２
2010208673.tif 000002
【特許請求の範囲】
【請求項１】
底板の一方の対向辺に起立する前板及び後板と、底板の他方の対向辺に起立する両側の側板とを有してなる包装箱であって、
前板及び後板の起立高さより両側の側板の起立高さが低く、
前板及び後板の各上縁の両端角部は、両側の側板の上縁に交差する斜め縁取部を有してなる包装箱。
【請求項２】
前記底板の一方の対向辺にそれぞれ折目を介して前板及び後板を連設し、前板及び後板の各上縁の両端角部を除く部分に折目を介して前板折返し部と後板折返し部を連設し、前板折返し部と後板折返し部の各下縁に突設されて底板の一方の対向辺沿いに設けてある係止部に係入し得る係止爪を備え、
底板の他方の対向辺にそれぞれ折目を介して前板及び後板の起立高さより低い側板を連設し、各側板の上縁に折目を介して側板折返し部を連設し、各側板折返し部の下縁に突設され底板の他方の対向辺沿いに設けた係止部に係入し得る係止爪を備え、
前板及び後板の各上縁の両端角部にそれら前板及び後板の各側縁と斜めに交差して斜め縁取部を形成することとなる折目を介して前角板と後角板を連設し、
前板及び後板の各側縁にそれぞれ折目を介して折込み舌片を連設した請求項１に記載の包装箱。
【請求項３】
前記前板及び後板のそれぞれと、前板折返し部と後板折返し部のそれぞれが、２本の折目に挟まれる前板額縁片と後板額縁片のそれぞれを介して連設され、これらの前板額縁片と後板額縁片のそれぞれが前板と後板の各上縁を形成し、
両側の側板のそれぞれと、両側の側板折返し部のそれぞれが、２本の折目に挟まれる両側の側板額縁片のそれぞれを介して連結され、これらの各側板額縁片が各側板の各上縁を形成してなる請求項２に記載の包装箱。
【請求項４】
前記底板に備える各係止部が、各係止爪と概ね同一幅をなすように底板に切込み形成された係止舌片と、該係止舌片の先端が底板の各辺との間に区画するように底板に切抜き形成された係止孔とからなる請求項２又は３に記載の包装箱。
【請求項５】
請求項２〜４のいずれかに記載の包装箱の組立方法であって、
底板に対して折立てられる前板及び後板の各上縁から内側に折り重ねた前板折返し部と後板折返し部の各下縁の係止爪を底板の係止部に係入するとともに、前板及び後板の各上縁の両端角部に斜め縁取部を形成するように内側に折り重ねた前角板と後角板の先端部を前板折返し部と後板折返し部の裏面側に挟み込み保持し、
底板に対して折立てた両側の側板の各上縁から内側に折り重ねた各側板折返し部の各下縁の係止爪を底板の係止部に係入するとともに、前板及び後板の両側の各側縁から内側に折込んだ各折込み舌片を各側板折返し部の裏面側に挟み込み保持してなる包装箱の組立方法。
【請求項６】
底板の一方の対向辺にそれぞれ折目を介して前板及び後板を連設し、前板及び後板の各上縁の両端角部を除く部分に折目を介して前板折返し部と後板折返し部を連設し、前板折返し部と後板折返し部の各下縁に突設して底板の一方の対向辺沿いに設けられた係止部に係入し得る係止爪を備え、
底板の他方の対向辺にそれぞれ折目を介して前板及び後板の起立高さより低い側板を連設し、各側板の上縁に折目を介して側板折返し部を連設し、各側板折返し部の下縁に突設して底板の他方の対向辺沿いに設けられた係止部に係入し得る係止爪を備え、
前板及び後板の各上縁の両端角部にそれら前板及び後板の各側縁と斜めに交差して斜め縁取部を形成することとなる折目を介して前角板と後角板を連設し、
前板及び後板の各側縁にそれぞれ折目を介して折込み舌片を連設した包装箱用の厚紙。
【発明の詳細な説明】
【技術分野】
【０００１】
本発明は包装箱に関する。
【背景技術】
【０００２】
従来、段ボール紙、厚紙等から折り曲げられて組立てられる包装箱として、特許文献１、２に記載のものがある。
【０００３】
特許文献１に記載の包装箱は、包装箱の高さ（深さ）を全周に渡って内容物の高さよりも低くし、包装箱の全周の外方から包装箱に収容してある内容物を見えるようにし、陳列効果を高めている。この包装箱では、包装箱に被せる蓋体の折曲げ板の内面に内方側へ突出する段部を設け、包装箱に蓋体を被せたとき、蓋体の段部が包装箱の側板の上縁に載って支持され、内容物を押圧変形させない。
【０００４】
特許文献２に記載の包装箱は、包装箱の左右の側板の高さをそれら側板の上縁の中央部で内容物の高さよりも低くし、包装箱の左右の外方から内容物が見えるようにしている。この包装箱において、包装箱に被せられる蓋体は、包装箱の前板及び後板の上縁に載って支持され、内容物を押圧変形させない。
【先行技術文献】
【特許文献】
【０００５】
【特許文献１】実開昭57-196624
【特許文献２】実開昭61-35129
【発明の概要】
【発明が解決しようとする課題】
【０００６】
特許文献１に記載の包装箱は、包装箱に収容してある内容物の陳列効果は高いものの、包装箱に被せた蓋体が内容物に当たらないようにするため、蓋体の構造が複雑になる。
【０００７】
特許文献２に記載の包装箱は、包装箱に被せた蓋体が内容物に当たらないものの、包装箱の前板及び後板の上縁の全部、並びに左右の側板の上縁の両端部の広い範囲で内容物を外方に対して遮り、内容物の陳列効果の向上に限界がある。
【０００８】
本発明の課題は、包装箱において、包装箱に収容してある内容物の陳列効果を高めるととともに、包装箱に被せた蓋体が内容物に当たらないようにすることにある。
【課題を解決するための手段】
【０００９】
請求項１の発明は、底板の一方の対向辺に起立する前板及び後板と、底板の他方の対向辺に起立する両側の側板とを有してなる包装箱であって、前板及び後板の起立高さより両側の側板の起立高さが低く、前板及び後板の各上縁の両端角部は、両側の側板の上縁に交差する斜め縁取部を有してなるようにしたものである。
【図面の簡単な説明】
【００１０】
【図１】図１は包装箱を示す斜視図である。
【図２】図２は包装箱に内容物を収容した陳列状態を示す斜視図である。
【図３】図３は包装箱の展開状態を示す平面図である。
【図４】図４は包装箱の組立過程を示す模式図である。
【図５】図５は包装箱の組立過程を示す模式図である。
【図６】図６は包装箱の組立過程を示す斜視図である。
【発明を実施するための形態】
【００１１】
図１に示した包装箱１０は、内容物を収容可能にするものであり、この包装箱１０に蓋体６０を付帯させて用いることができる。蓋体６０は、天板６１の一方の対向辺に起立する前板６２及び後板６３（不図示）と、天板６１の他方の対向辺に起立する左右両側の側板６４、６４（不図示）とを有し、任意の構造のものを採用できる。図２は、食品用ボトル、洗剤用ボトル等の内容物１００を収容した包装箱１０の陳列状態を示すものである。以下、包装箱１０の構造について説明する。尚、本明細書では、包装箱１０を水平面上に置いた状態で、水平面上にて相直交する一方を前後、他方を左右と称し、水平面に対して直交する鉛直方向に沿う上方を上、下方を下と称する。
【００１２】
包装箱１０は、図１、図２に示す如く、底板１１の一方の対向辺に起立する前板１２（図１、図２では不図示）及び後板１３と、底板１１の他方の対向辺に起立する左右両側の側板２２、２２とを有する。そして、包装箱１０は、前板１２及び後板１３の起立高さＨ１より両側の側板２２、２２の起立高さＨ２が低くなっている（図１、図２）。また、包装箱１０は、前板１２及び後板１３の上縁１２Ａ、１３Ａの両端角部に、両側の側板２２、２２の上縁２２Ａに交差する斜め縁取部１２Ｂ、１３Ｂが形成されている。
【００１３】
包装箱１０は、段ボール紙、厚紙を打ち抜いた図３に示す如くの展開素材を折り曲げて組立てられる。尚、厚紙の展開状態でいう各部の上縁、下縁、高さとは、この厚紙が組立てられた包装箱の状態で、各部の上縁を構成することとなるものを上縁といい、各部の下縁を構成することとなるものを下縁といい、各部の高さを構成することとなるものを高さという。
【００１４】
包装箱１０は、底板１１の一方の対向辺にそれぞれ折目１４を介して前板１２及び後板１３を連設する。包装箱１０は、前板１２及び後板１３の各上縁１２Ａ、１３Ａ（前板１２及び後板１３の折目１４とは反対の縁部）の両端角部を除く部分に、順に、２本の折目１５Ａ、１５Ｂ、及びそれら２本の折目１５Ａ、１５Ｂに挟まれる狭幅の前板額縁片１６、後板額縁片１７を介して、前板折返し部１８と後板折返し部１９を連設する。前板折返し部１８と後板折返し部１９の各高さは、前板１２と後板１３の前述の各高さＨ１と同寸法をなす。
【００１５】
前板折返し部１８と後板折返し部１９は、それらの各下縁（前板折返し部１８と後板折返し部１９の、前板額縁片１６、後板額縁片１７とは反対の縁部）に突設されて底板１１の一方の対向辺沿いに各２ヶ所設けてある係止部４０に係入し得る舌片状の係止爪１８Ａ、１９Ａを備える。
【００１６】
包装箱１０は、底板１１の他方の対向辺にそれぞれ折目２１を介して、前述した両側の側板２２、２２を連設する。
【００１７】
包装箱１０は、両側の側板２２、２２の各上縁２２Ａ（側板２２の折目２１とは反対の縁部）に、順に、２本の折目２３Ａ、２３Ｂ、及びそれら２本の折目２３Ａ、２３Ｂに挟まれる狭幅の両側の側板額縁片２４、２４を介して、両側の側板折返し部２５、２５を連設する。各側板折返し部２５の高さは、各側板２２の前述の高さＨ２と同寸法をなす。尚、側板折返し部２５の前板１２寄りの前側縁は、側板２２の前板１２寄りの前側縁より、前板１２及び後述する前角板３２の折り重ね厚み分だけ切除されて短尺化され、側板折返し部２５の後板１３寄りの後側縁は、側板２２の後板１３寄りの後側縁より、後板１３及び後角板３３の折り重ね厚み分だけ切除されて短尺化される。
【００１８】
各側板折返し部２５は、それらの各下縁（側板折返し部２５の側板額縁部２４とは反対の縁部）に突設し、底板１１の他方の対向辺沿いに各２ヶ所設けてある係止部５０に係入し得る舌片状の係止爪２５Ａを備える。
【００１９】
包装箱１０は、前板１２及び後板１３の各上縁１２Ａ、１３Ａの両端角部に、それら前板１２及び後板１３の各側縁１２Ｃ、１３Ｃと斜めに交差して斜め縁取部１２Ｂ、１３Ｂを形成することとなる、相近接する２本の折目３１、３１（１本の折目３１でも可）を介して、前角板３２と後角板３３を連結する。前角板３２と後角板３３の各先端部３２Ａ、３３Ａの長さＨ３は、前板１２及び後板１３の前述の高さＨ１に概ね同等をなす。包装箱１０の組立て状態で、前角板３２と後角板３３の各先端部３２Ａ、３３Ａは、前板１２及び後板１３の内側に折り重ねられ、かつ前板折返し部１８及び後板折返し部１９の裏面側に折り込み保持される。
【００２０】
包装箱１０は、前板１２及び後板１３の両側の各側縁１２Ｃ、１３Ｃに折目３４を介して両側の折込み舌片３５、３５を連設する。各折込み舌片の高さＨ４は、上側の各側板２２の前述の高さＨ２と概ね同等をなす。包装箱１０の組み立て状態で、両側の各折込み舌片３５は、両側の各側板２２の内側に折り重ねられ、かつ両側の側板折返し部２５の裏面側に折り込み保持される。
【００２１】
包装箱１０において、底板１１の一方の対向辺沿いに備える前述の各係止部４０は、各係止爪１８Ａ、１９Ａと概ね同一幅をなすように底板１１に両側切込み形成された係止舌片４１と、係止舌片４１の先端が底板１１の一方の対向辺との間に区画するように底板１１に切抜き形成された係止孔４２とからなる。また、底板１１の他方の対向辺沿いに備える前述の各係止部５０は各係止爪２５Ａと概ね同一幅をなすように底板１１に切込み形成された係止舌片５１と、係止舌片５１の先端が底板１１の他方の対向辺との間に区画するように底板１１に切抜き形成された係止孔５２とからなる。
【００２２】
包装箱１０の組立構造は以下の通りである（図４〜図６）。
(1)まず、本発明の包装箱の前板及び後板部分を形成する。前板１２及び後板１３の各上縁１２Ａ、１３Ａの両端角部に斜め縁取部１２Ｂ、１３Ｂを形成するように、前角板３２と後角板３３のそれぞれを前板１２と後板１３の各内側に折り重なる（図４（Ａ）、（Ｂ））。
【００２３】
(2)前板１２及び後板１３の各上縁１２Ａ、１３Ａから内側に前板折返し部１８と後板折返し部１９のそれぞれを折り重ねる。前角板３２と後角板３３の各先端部３２Ａ、３３Ａは、前板１２と後板１３のそれぞれと、前板折返し部１８と後板折返し部１９のそれぞれとに挟まれる（図５（Ａ））。
【００２４】
(3)底板１１に対して前板１２及び後板１３を、折目１４から折り立てる。前述(2)で前板１２及び後板１３の各上縁１２Ａ、１３Ａから内側に折り重ねてある前板折返し部１８と後板折返し部１９の各下縁の係止爪１８Ａ、１９Ａを底板１１の係止部４０に係入する。各係止爪１８Ａ、１９Ａは係止部４０の係止舌片４１を押し込み変形して係止孔４２に係止する。(1)〜(3)の組立により、本発明の包装箱の前板及び後板部分が形成される。
【００２５】
このとき、前述(1)で前板１２及び後板１３の各内側に前角板３２と後角板３３を折り重ね、更に前述(2)で前板折り返し部１８と後板折り返し部１９を折り重ねることにより、前角板３２と後角板３３の各先端部３２Ａ、３３Ａは、前板折返し部１８と後板折返し部１９の裏面側に挟み込み保持されることになる（図５（Ｂ））。
【００２６】
尚、前板１２と前板折返し部１８の間の狭幅の前板額縁片１６が前板１２の上縁１２Ａを形成し、後板１３と後板折返し部１９の間の狭幅の後板額縁片１７が後板１３の上縁１３Ａを形成する。
【００２７】
(4)次いで、側板を形成する。前板１２及び後板１３の両側の各側縁１２Ｃ、１３Ｃから、側板の折目２１に沿って、側板の内側に各折込み舌片３５を折り込む（図６（Ａ））。
【００２８】
(5)底板１１に対して両側の側板２２を折目２１を介して折立てる。更に、折立てた両側の側板２２の各上縁２２Ａから内側に各側板折返し部２５を折り重ねる。そして、各側板折返し部２５の各下縁の係止爪２５Ａを底板１１の係止部５０に係入する。各係止爪２５Ａは係止部５０の係止舌片５１を押し込み変形して係止孔５２に係止する。
【００２９】
このとき、前述(4)で前板１２及び後板１３の両側の側縁１２Ｃ、１３Ｃから側板の内側に折り込んである各折込み舌片３５を、各側板折返し部２５の裏面側に挟み込み保持するものになる（図６（Ｂ）、（Ｃ））。
【００３０】
尚、各側板２２と側板折返し部２５の間の狭幅の各側板額縁片２４が側板２２の上縁２２Ａを形成する。
【００３１】
包装箱１０は、内容物１００を収容し、更にこの包装箱１０に蓋体６０を被着して蓋付包装箱１０として用いることができ、陳列段階では蓋体６０を取外した展示用包装箱１０として陳列に供することができる。内容物１００は包装箱１０の前板１２及び後板１３の高さＨ１（深さ）より僅かに低く、包装箱１０に収容した内容物１００の正面１０１（上方に臨む面）は前板１２及び後板１３の各上縁１２Ａ、１３Ａより僅かに低位に位置づけられる。尚、図２に例示される内容物は、内容物１００の形状が、正面１０１と側面１０２（側板２２に接する面）の交差角部１０３は前板１２及び後板１３の各斜め縁取部１２Ｂ、１３Ｂに沿う斜め面をなすものである（図２）。
【００３２】
本実施形態によれば以下の作用効果を奏する。
(a)包装箱１０は、包装箱１０の前板１２及び後板１３の高さＨ１に対し両側板２２の高さＨ２を低くするとともに、前板１２及び後板１３の上縁１２Ａ、１３Ａの両端角部に斜め縁取部１２Ｂ、１３Ｂを形成した。従って、包装箱１０は、包装箱１０の両側の側板２２の上縁２２Ａの全部、並びに前板１２及び後板１３の上縁１２Ａ、１３Ａの両端角部（斜め縁取部１２Ｂ、１３Ｂ）の広い範囲において、内容物１００を外方に対して遮ることがない。包装箱１０は、包装箱１０の全周のうち、前板１２及び後板１３の上縁１２Ａ、１３Ａの両端角部（斜め縁取部１２Ｂ、１３Ｂ）を除く狭い範囲においてだけ内容物１００を外方に対して遮るにすぎず、内容物１００の陳列効果を向上できる。内容物１００の正背面１０１と側面１０２の交差角部１０３の全体を包装箱１０の前板１２及び後板１３の斜め縁取部１２Ｂ、１３Ｂ並びに後側の側板２２の上縁２２Ａの全部において外方から遮ることなく、内容物１００を立体的に見ることができる。
【００３３】
(b)包装箱１０に蓋体６０を被せて用いるとき、包装箱１０に被せられる蓋体６０は、包装箱１０の前板１２及び後板１３の高さＨ１の上縁１２Ａ、１３Ａに載って支持され、内容物１００を押圧変形させることがない。
【００３４】
(c)包装箱１０を構成する前板１２及び後板１３の起立高さＨ１より両側の側板２２の起立高さＨ２を低くしたから、両側の側板２２の起立高さＨ２を前板１２及び後板１３の起立高さＨ１と同じにするものに比して、包装箱１０の素材展開寸法を両側の側板２２を含む左右方向において短寸法化でき、素材使用量を削減できる。
【００３５】
(d)底板１１に対して前板１２及び後板１３、並びに両側の側板２２等の各板を折り曲げるだけで包装箱１０を組立てできる。また、前板１２及び後板１３の上縁１２Ａ、１３Ａ（前角板３２及び後角板３３の折曲げ部（斜め縁取部１２Ｂ、１３Ｂ）を含む）、並びに上側の側板２２の上縁２２Ａのそれぞれを、各板の折曲げ部により形成するものになり、これらの上縁１２Ａ、１３Ａ、斜め縁取部１２Ｂ、１３Ｂ、上縁２２Ａに段ボール紙の切断端面が表われることがなく、美的外観性を向上できる。
【００３６】
(e)前板１２と後板１３の各上縁１２Ａ、１３Ａを前板額縁片１６と後板額縁片１７により形成し、両側の側板２２の各上縁２２Ａを各側板額縁片２４により形成した。前板１２と後板１３の各上縁１２Ａ、１３Ａ、及び両側の側板２２の各上縁２２Ａの美的外観性を向上できる。
【００３７】
(f)底板に備える各係止部４０、５０が、各係止爪１８Ａ、１９Ａ、２５Ａと概ね同一幅をなすように底板１１に切込み形成された係止舌片４１、５１と、係止舌片４１、５１の先端が底板１１の各辺との間に区画するように底板１１に切抜き形成された係止孔４２、５２とからなるものにした。従って、包装箱１０の組立て時に、前板１２及び後板１３並びに両側の側板２２の各折返し部１８、１９、２５を、それらの前板１２及び後板１３並びに両側の側板２２の内側に折り重ねるとき、係止爪１８Ａ、１９Ａ、２５Ａが係止舌片４１、５１の先端を弾発的に押し込み変形して係止孔４２、５２に直ちに係止でき、組立性を向上できる。包装箱１０の廃棄時には、人手による係止舌片４１、５１の先端を弾発的に押し下げ変形させれば、係止爪１８Ａ、１９Ａ、２５Ａは各折返し部１８、１９、２５の折返しの復元習性力により係止孔４２、５２から直ちに外れ、包装箱１０を容易に展開できる。
【産業上の利用可能性】
【００３８】
本発明は、包装箱において、包装箱に収容してある内容物の陳列効果を高めるととともに、包装箱に被せた蓋体が内容物に当たらないようにすることができる。
【符号の説明】
【００３９】
１０  包装箱
１１  底板
１２  前板
１３  後板
１２Ａ、１３Ａ  上縁
１２Ｂ、１３Ｂ  斜め縁取部
１２Ｃ、１３Ｃ  側縁
１４  折目
１５Ａ、１５Ｂ  折目
１６  前板額縁片
１７  後板額縁片
１８  前板折返し部
１８Ａ  係止爪
１９  後板折返し部
１９Ａ  係止爪
２１  折目
２２  側板
２２Ａ  上縁
２３Ａ、２３Ｂ  折目
２４  側板額縁片
２５  側板折返し部
２５Ａ  係止爪
３１  折目
３２  前角板
３２Ａ  先端部
３３  後角板
３３Ａ  先端部
３４  折目
３５  折込舌片
４０、５０  係止部
４１、５１  係止舌片
４２、５２  係止孔
【図１】
2010208673.tif 000003
【図２】
2010208673.tif 000004
【図３】
2010208673.tif 000005
【図４】
2010208673.tif 000006
【図５】
2010208673.tif 000007
【図６】
2010208673.tif 000008